(57)【要約】【課題】  支承部５に支承して締付固定機構ａにより締付固定した円筒脚９の径が大小様々であっても、ガタついたりすることなく良好に締付固定でき、安定性に秀れた実用的な作業台や脚立などの円筒脚に取り付ける補助脚を提案すること。【解決手段】  締付固定機構ａにより円筒脚９が圧接する支承部５の圧接支承面４であって締付固定機構ａの締付ボルト６により前記円筒脚９を締め付け押圧する方向と対向する側に傾斜支承面７を形成して、円筒脚９の径が異なる場合であっても円筒脚９は前記締付固定機構ａにより締め付けられて前記傾斜支承面７にて圧接支持されるように構成した作業台や脚立などの円筒脚に取り付ける補助脚。【選択図】      図１
2006022545.tif 000002
【特許請求の範囲】
【請求項１】
補助脚体に取付部を昇降自在に設け、この取付部を補助脚体の所定の高さで固定し得る係止機構を前記取付部に設け、この取付部に作業台や脚立などの円筒脚を支承する支承部を設け、この支承部に支承した前記円筒脚を締付ボルトによって締付固定する締付固定機構をこの支承部に設けた作業台や脚立などの円筒脚に取り付ける補助脚であって、前記締付固定機構により前記円筒脚が圧接する支承部の圧接支承面であって、前記締付固定機構の締付ボルトにより前記円筒脚を締め付け押圧する方向と対向する側に傾斜支承面を形成して、円筒脚の径が異なる場合であっても円筒脚は前記締付固定機構により締め付けられて前記傾斜支承面にて圧接支持されるように構成したことを特徴とする作業台や脚立などの円筒脚に取り付ける補助脚。
【請求項２】
前記傾斜支承面は前記円筒脚を圧接挾持する位置に互いに対向状態に形成し、この一対の対向傾斜支承面の対向間隔は円筒脚を締付固定する締め付け方向と反対方向に拡幅となるハ字状に形成した構成としたことを特徴とする請求項１記載の作業台や脚立などの円筒脚に取り付ける補助脚。
【請求項３】
前記対向傾斜支承面は、圧接支持する前記円筒脚の軸芯方向に対して平行で、且つ、前記締付固定機構の締付ボルトの螺入方向に対して平面視対称な形状に形成した構成としたことを特徴とする請求項２記載の作業台や脚立などの円筒脚に取り付ける補助脚。
【請求項４】
前記支承部は筒体形状で、周面に締付ボルトが螺合する螺合部を形成した構成としたことを特徴とする請求項１〜３のいずれか１項に記載の作業台や脚立などの円筒脚に取り付ける補助脚。
【請求項５】
前記支承部は、前記螺合部近傍を肉厚に形成した構成としたことを特徴とする請求項４記載の作業台や脚立などの円筒脚に取り付ける補助脚。
【請求項６】
前記支承部は、前記締付固定機構の締付ボルトにより前記円筒脚を締め付け押圧する方向と対向する側の外側面を前記取付部と接合して該取付部に付設した構成とし、前記支承部の前記取付部と接合する側の外側形成表面が、内側形成表面より平面視拡幅となるように形成した構成としたことを特徴とする請求項１〜５のいずれか１項に記載の作業台や脚立などの円筒脚に取り付ける補助脚。
【発明の詳細な説明】
【技術分野】
【０００１】
本発明は、作業台や脚立などの円筒脚に取り付ける補助脚に関するものである。
【背景技術】
【０００２】
作業台や脚立などの円筒脚の高さを調整するための、例えば出願人の先願に係る登録実用新案第１４０４４０２号公報（特許文献１）に開示されている補助脚が好評である。
【０００３】
このような従来の補助脚は、例えば、補助脚体に取付部を昇降自在に設け、この取付部に作業台や脚立などの円筒脚を支承する支承部を設け、この支承部に前記円筒脚を締付ボルトで締付固定する締付固定機構を設けた作業台や脚立などの円筒脚に取り付ける補助脚であって、円筒体形状に形成された支承部（以下、受け筒という。）に前記円筒脚を嵌挿し、この受け筒の上部に螺着した締付ボルトの締め付けにより円筒脚を前記受け筒の内周面に圧接させると、この圧接された円筒脚を支承する圧接支承面としての円筒脚の内周面と、前記締付ボルトとによって該円筒脚が締付固定されるように構成されたものである。
【０００４】
【特許文献１】登録実用新案第１４０４４０２号公報
【発明の開示】
【発明が解決しようとする課題】
【０００５】
ところで、このような従来の作業台や脚立などの円筒脚に取り付ける補助脚は、前記受け筒が円筒体形状であるが故に、この受け筒の圧接支承面としての内周面に前記円筒脚を圧接して締付固定しても、この圧接支承面に対して前記円筒脚は線的にしか接触してない。
【０００６】
平面視すると、前記円筒脚は前記締付ボルトとの圧接点及び前記圧接支承面との圧接点の二点によって圧接固定されているに過ぎず、従って、ガタツキが生じるなど、安定性に問題があった。
【０００７】
しかも、受け筒に嵌挿し締付固定する円筒脚の径が小さい程、受け筒内に遊間が多く存在し、当然ガタツキも大きくなるので、一層安定性が損なわれてしまう。
【０００８】
従って、従来の作業台や脚立などの円筒脚に取り付ける補助脚は、受け筒の径と略同じ位の径を有する円筒脚に取り付けた際には、円筒脚を良好に締付固定して良好に作業を行うことができたが、仮に、小さい径を有する円筒脚に取り付けて使用しても、安定性が乏しいが故に作業性が悪く、実用性に乏しかった。
【０００９】
また、ガタツキを軽減し安定性を向上すべく、前記受け筒の形成長さを十分に長く設定する必要があったため、それだけ重みが増して持ち運びなどの作業性が損なわれていた。
【００１０】
本発明は、上述のような現状に鑑み、発明者等が鋭意研究を重ねた結果完成したもので、圧接された円筒脚を支承する前記支承部の圧接支承面に、傾斜支承面を形成し、このこの傾斜支承面によって前記圧接される円筒脚を挾持状態に圧接支持できるように構成することで、円筒脚を締付固定した際に、平面視すると少なくとも三点の圧接点によって締め付け固定することができることとなり、よって、この円筒脚を確実に位置決めして良好に締付固定でき、締付時における安定性が飛躍的に向上しガタツキを確実に防止することができ、しかも、前記傾斜支承面にて圧接支持できる径を有するものであれば、大きくても小さくても確実に位置決めして締付固定できるから、様々な径の円筒脚に取り付けて良好に使用することができ、更に、ガタツキを軽減すべく前記支承部を長く形成する必要が無いからそれだけ軽量化できるなど、実用性に秀れた画期的な作業台や脚立などの円筒脚に取り付ける補助脚を提供することを課題とする。
【課題を解決するための手段】
【００１１】
添付図面を参照して本発明の要旨を説明する。
【００１２】
補助脚体１に取付部３を昇降自在に設け、この取付部３を補助脚体１の所定の高さで固定し得る係止機構２を前記取付部３に設け、この取付部３に作業台や脚立などの円筒脚９を支承する支承部５を設け、この支承部５に支承した前記円筒脚９を締付ボルト６によって締付固定する締付固定機構ａをこの支承部５に設けた作業台や脚立などの円筒脚に取り付ける補助脚であって、前記締付固定機構ａにより前記円筒脚９が圧接する支承部５の圧接支承面４であって、前記締付固定機構ａの締付ボルト６により前記円筒脚９を締め付け押圧する方向と対向する側に傾斜支承面７を形成して、円筒脚９の径が異なる場合であっても円筒脚９は前記締付固定機構ａにより締め付けられて前記傾斜支承面７にて圧接支持されるように構成したことを特徴とする作業台や脚立などの円筒脚に取り付ける補助脚に係るものである。
【００１３】
また、前記傾斜支承面７は前記円筒脚９を圧接挾持する位置に互いに対向状態に形成し、この一対の対向傾斜支承面７の対向間隔は円筒脚９を締付固定する締め付け方向と反対方向に拡幅となるハ字状に形成した構成としたことを特徴とする請求項１記載の作業台や脚立などの円筒脚に取り付ける補助脚に係るものである。
【００１４】
また、前記対向傾斜支承面７は、圧接支持する前記円筒脚９の軸芯方向に対して平行で、且つ、前記締付固定機構ａの締付ボルト６の螺入方向に対して平面視対称な形状に形成した構成としたことを特徴とする請求項２記載の作業台や脚立などの円筒脚に取り付ける補助脚に係るものである。
【００１５】
また、前記支承部５は筒体形状で、周面に締付ボルト６が螺合する螺合部８を形成した構成としたことを特徴とする請求項１〜３のいずれか１項に記載の作業台や脚立などの円筒脚に取り付ける補助脚に係るものである。
【００１６】
また、前記支承部５は、前記螺合部８近傍を肉厚に形成した構成としたことを特徴とする請求項４記載の作業台や脚立などの円筒脚に取り付ける補助脚に係るものである。
【００１７】
また、前記支承部５は、前記締付固定機構ａの締付ボルト６により前記円筒脚９を締め付け押圧する方向と対向する側の外側面を前記取付部３と接合して該取付部３に付設した構成とし、前記支承部５の前記取付部３と接合する側の外側形成表面が、内側形成表面より平面視拡幅となるように形成した構成としたことを特徴とする請求項１〜５のいずれか１項に記載の作業台や脚立などの円筒脚に取り付ける補助脚に係るものである。
【発明の効果】
【００１８】
本発明は上述のように構成したから、支承部に支承した作業台や脚立などの円筒脚を、締付固定機構によって締付固定する際に、前記円筒脚を傾斜支承面によって圧接支持しながら締付固定するから、前記締付機構に締め付けられて円筒脚が圧接する支承部の圧接支承面と前記傾斜支承面若しくは対向する傾斜支承面で円筒脚を確実に位置決め固定でき、ガタツキを確実に阻止できるから安定性に秀れ、また、支承部の形成長さを短く設定しても十分な安定性が保持できるから、それだけ軽量化を図ることができ、持ち運びなどの作業性に秀れるなど、実用性に秀れた商品価値の高い作業台や脚立などの円筒脚に取り付ける補助脚となる。
【００１９】
また、請求項２，３記載の発明においては、一層良好に前記円筒脚を対向傾斜支承部によって圧接支持でき、しかも、締付固定する円筒脚の径が小さかった場合にも前記対向傾斜支承部によって良好に圧接支持して締付固定できるから、よって、円筒脚の径が様々であってもガタツキなどが生じることなく安定性に秀れ、一層実用性に秀れる。
【００２０】
また、請求項４記載の発明においては、製造が容易となるから、生産性に秀れるなど、この点においても一層実用性に秀れる。
【００２１】
また、請求項５記載の発明においては、肉厚にすることによって螺合部のネジ山の強度が増すから、それだけ部材の強度を必要とせず、支承部をアルミニウム製の部材などの軽量な部材で形成するなどして軽量化でき、一層作業性に秀れる。
【００２２】
また、請求項６記載の発明においては、前記締付ボルトを操作する際に取付部や補助脚体が邪魔にならず作業性に秀れ、しかも、圧接支承面の外側形成表面の形状によって取付部と支承部との接合強度が増すなど、一層実用性に秀れる。
【発明を実施するための最良の形態】
【００２３】
好適と考える本発明の実施形態を、図面に基づいて本発明の作用を示して簡単に説明する。
【００２４】
補助脚体１に昇降自在に設けられ係止機構２によってこの補助脚体１の所定の高さに固定し得る取付部３に、作業台や脚立などの円筒脚９を支承する支承部５を設け、この支承部５に前記円筒脚９を支承して、締付固定機構ａの締付ボルト６によって円筒脚９を支承部５の圧接支承面４に締め付けると、この円筒脚９は、圧接支承面４であって前記締付固定機構ａの締め付けボルト６により前記円筒脚９を締め付け押圧する方向と対向する側に形成した傾斜支承面７によって圧接支持されることとなるから、よって、締付固定された円筒脚９は、前記締付固定機構ａの締付ボルト６，前記支承部５の圧接支承面４，前記傾斜支承面７の三カ所、若しくは締付ボルト６，対する傾斜支承面７の三カ所によって圧接支持されるから、安定性が高く、ガタツキなどが生じることがない。
【００２５】
しかも、円筒脚９の径が異なる場合であってもこの円筒脚９は前記締付固定機構ａにより締め付けられて前記傾斜支承面７にて圧接支持されることとなり、従って、異なる径を有する様々な円筒脚９をこの支承部５に良好に締付固定できることとなる。
【００２６】
更に、前記傾斜支承面７によって高い安定性が得られるから、安定性を向上させるために支承部５の形成長さを長く設定しなくてもよく、それだけ前記支承部５を短い形状に設定でき、軽量化が図れることとなる。
【００２７】
また、例えば、前記傾斜支承面７は前記円筒脚９を圧接挾持する位置に互いに対向状態に形成し、この一対の対向傾斜支承面７の対向間隔は円筒脚９を締付固定する締め付け方向と反対方向に拡幅となるハ字状に形成した構成とした場合には、この支承部５に締め付けられた円筒脚９は、前記対向傾斜支承面７に圧接挾持状態に圧接支持されるから、従って、この対向傾斜支承面７によって、確実に位置決めされて締付固定されることとなる。
【００２８】
また、例えば、前記対向傾斜支承面７は、圧接支持する前記円筒脚９の軸芯方向に対して平行で、且つ、前記締付固定機構ａの締付ボルト６の螺入方向に対して平面視対称な形状に形成した構成とした場合には、前記対向傾斜支承面７に圧接支持される円筒脚９の有する径が大小様々であっても、締付ボルト６の螺入方向が確実に前記円筒脚９の軸芯に向かう方向となり、この締付ボルト６は前記円筒脚９の平面視軸芯方向に向かって当接するから、この締付ボルト６の締付力が効率良く発揮されると共に、円筒脚９の径が小さくても良好に締付固定できることとなる。
【００２９】
また、例えば、前記支承部５は筒体形状で、周面に締付ボルト６が螺合する螺合部８を形成した構成とした場合には、支承部５の周面に螺合部８をネジ切りすることで、簡単に前記締付ボルト６が螺合する螺合部８を適性位置に形成することができ、容易に前記締付固定機構ａを設けることができることとなる。
【００３０】
また、前記支承部５は、前記螺合部８近傍を肉厚に形成した構成とした場合には、この螺合部８の強度が増して、前記締付ボルト６で円筒脚９を強く締め付けても、この螺合部８のネジ山が破損したりすることを可及的に防止でき、従って、この支承部５をステンレス製などの強度の高い部材で形成しなくとも、例えば、アルミニウム製などの軽量な部材で構成しても前記螺合部８に十分な強度が得られるから、この支承部５を軽い部材で構成することでそれだけ軽量化が図れることとなる。
【００３１】
また、前記支承部５は、前記締付固定機構ａの締付ボルト６により前記円筒脚９を締め付け押圧する方向と対向する側の外側面を前記取付部３と接合して該取付部３に付設した構成とし、前記支承部５の前記取付部３と接合する側の外側形成表面は、内側形成表面より平面視拡幅となるように形成した構成とした場合には、前記締付固定機構ａの締付ボルト６と、前記取付部３及び補助脚体１とが、前記支承部５を介して互いに反対側の位置となるから、締付ボルト６を操作する際に、取付部３及び補助脚体１が邪魔にならない。
【００３２】
また、支承部５の前記取付部３と接合する側の内側形成表面には、取付部３と離間する方向に傾斜する傾斜支承面７が形成されているから、取付部３に向かって先細る形状となっており、ここで、仮に、外側形成表面も、前記内側形成表面と同様取付部３に向かって先細る形状であると、支承部５と取付部３との連設箇所の平面視連設幅が狭くなってしまい、それだけ支承部５と取付部３とを接合した際の接合強度が弱くなってしまうが、この点、本発明においては、外側形成表面が内側形成表面よりも平面視拡幅となるように形成したから、支承部５と取付部３との連設箇所の平面視連設幅もそれだけ広くなり、この連設箇所を接合した際の接合強度が増すこととなる。
【実施例】
【００３３】
本発明の具体的な実施例について図面に基づいて説明する。
【００３４】
本実施例は、補助脚体１に取付部３を昇降自在に設け、この取付部３を補助脚体１の所定の高さで固定し得る係止機構２を前記取付部３に設け、この取付部３に作業台や脚立などの円筒脚９を支承する支承部５を設け、この支承部５に支承した前記円筒脚９を締付ボルト６によって締付固定する締付固定機構ａをこの支承部５に設けた作業台や脚立などの円筒脚に取り付ける補助脚であって、前記締付固定機構ａにより前記円筒脚９が圧接する支承部５の圧接支承面４であって前記締付固定機構ａの締付ボルト６により前記円筒脚９を締め付け押圧する方向と対向する側に傾斜支承面７を形成して、円筒脚９の径が異なる場合であっても円筒脚９は前記締付固定機構ａにより締め付けられて前記傾斜支承面７にて圧接支持されるように構成したものに係るものである。
【００３５】
本実施例では、支承部５は、図３に図示するように、円筒脚９を嵌挿し得る径を有する筒体形状に形成している。
【００３６】
また、支承部５の下部には、該支承部５内に嵌挿された前記円筒脚９の底部を受ける底受けピン16を設けており、この底受けピン16は、Ｔ字状の底受けピン16を、支承部５の下部に設けた一方の挿通孔（図示省略）から他方の挿通孔（図示省略）に向けて貫挿して、この他方の挿通孔から突出した部分を溶接して抜け止め固定した構成である。
【００３７】
また、支承部５の上部には、前記締付固定機構ａの締付ボルト６が螺合する螺合部８を設けている。
【００３８】
また、支承部５は、前記螺合部８の強度を増してネジ山の破損を防止し得るように、該螺合部８近傍を肉厚に形成している。
【００３９】
この螺合部８には、円筒脚９を締め付けて支承部５の内面に圧接させる締付ボルト６を螺着している。
【００４０】
この締付ボルト６は、図１に図示するように蝶ボルトを採用している。尚、ハンドル付きのボルトを採用しても良い。
【００４１】
また、支承部５の内面は、前記螺合部８に螺合する前記締付ボルト６によって締め付けられる円筒脚９を圧接して支持する圧接支承面４に設定している。
【００４２】
また、支承部５の圧接支承面４であって前記締付ボルト６により前記円筒脚９を締め付け押圧する方向と対向する側には、傾斜支承面７を形成している。
【００４３】
この傾斜支承面７は、前記円筒脚９を圧接挾持する位置に互いに対向状態となるように形成して、この一対の対向傾斜支承面７の対向間隔は円筒脚９を締付固定する締め付け方向と反対方向に拡幅となるハ字状に形成している。
【００４４】
具体的には、この対向傾斜支承面７は、前記支承面５に嵌挿した円筒脚の軸芯方向に対して平行で、且つ、図２に図示するように平面視すると前記螺合部８に螺合する締付ボルト６の螺入方向に対して対称な形状で、前記支承部５の上端から下端まで至るように形成している。
【００４５】
また、支承部５及び傾斜支承面７は、アルミニウム製の部材で一体形成したものである。
【００４６】
この支承部５は、前記締付固定機構ａの締付ボルト６により前記円筒脚９を締め付け押圧する方向と対向する側の外側面を前記取付部３の後述する側板部３ｃに付設状態に設けた構成であり、具体的には、締付ボルト６を操作する際の作業性を考慮して、前記締付固定機構ａの締付ボルト６により前記円筒脚９を締め付け押圧する方向と対向する側の外側面（前記締付ボルト６と対向する側の外側面）を前記取付部３に接合した構成である。即ち、締付ボルト６に対して取付部３若しくは補助脚体１が近接している場合、該締付ボルト６操作時に取付部３若しくは補助脚体１が邪魔になり作業性が損なわれる懸念がある。
【００４７】
また、支承部５と取付部３とは、連設箇所を溶接して接合した構成である。
【００４８】
この際、支承部５の前記取付部３と接合する側の内側形成表面は、図２に図示するように、取付部３から離間する方向に傾斜する対向傾斜支承面７が形成されているために取付部３に向かって先細りした形状となっており、仮に、外側形成表面も取付部３に向かって先細りした形状であると、取付部３と支承部５との連設箇所の平面視連設幅が狭幅となってしまい、連設箇所を接合した際の接合強度が弱くなってしまうが、この点、本実施例においては、この支承部５の前記取付部３と接合する側の外側形成表面は、内側形成表面より平面視拡幅となるように形成した構成だから、それだけ支承部５と取付部３との連設箇所の平面視連設幅が拡幅となり、この連設箇所を接合した際の接合強度も強くなるように構成している。
【００４９】
具体的には、前記支承部５の周面は、図２に図示するように前記傾斜支承面７（対向傾斜支承面７）を形成した箇所が内壁部17と外壁部18からなる二重構造になっており、この二重構造の内壁部17が、取付部３から離間する方向に傾斜した前記対向傾斜支承面７に形成されており、外壁部18は、前記取付部３と連設し接合される連設箇所となるように形成したものである。
【００５０】
上記支承部５を接合した前記取付部３は、図１に図示するように、上板部３ａ，下板部３ｂ及び側板部３ｃから成るコ字形板状枠で、具体的には、この上板部３ａ及び下板部３ｂに、前記補助脚体１を挿通し得る径を有する補助脚体挿通孔13を穿設し、この補助脚体挿通孔13に前記補助脚体１を挿通して補助脚体１に該取付部３を昇降自在に設け、側板部３ｃの外側面には、上述の通り前記支承部５を接合して付設した構成である。
【００５１】
また、取付部３には、前記補助脚体１の所定高さで該取付部３を固定する係止機構２を設けている。
【００５２】
この係止機構２は、抗縮発条14及び係止板15から成り、前記係止板15を指圧で押し下げると、係止板15が前記補助脚体１に対してフリーとなり、前記取付部３が補助脚体１に対して上下方向にスライド自在（昇降自在）となり、指圧を解放すると、押し上げ発条14により係止板15が前記補助脚体１に対して固定維持状態となり、前記取付部３が補助脚体１に対して固定係止されるように構成したものである。
【００５３】
補助脚体１は、図１に図示するように、円筒体形状で、下端に自由継手部11を介して接地盤12を設けた構成である。
【００５４】
本実施例は上述のように構成したから、筒体形状の支承部５に作業台や脚立などの円筒脚９を嵌挿して、この支承部５の螺合部８に締付ボルト６を螺着して、この締付ボルト６により円筒脚９を締め付けると、この円筒脚９が支承部５の圧接支承面４に形成した前記対向傾斜支承面７に圧接されて、この対向する二つの傾斜支承面７と前記締付ボルト６によって、少なくとも平面視三点の圧接点によって圧接支持されることとなる（尚、図２にでは対向する二つの傾斜支承面７，圧接支承面４及び締付ボルト６の平面視四点の圧接点によって圧接支持されている。）。
【００５５】
即ち、従来の作業台や脚立などの円筒脚に取り付ける補助脚（以下、従来機という。）では、円筒体形状の支承部５に螺着した締付ボルト６によって、円筒脚９を支承部５の内周面に圧接して、この締付ボルト６と円筒脚９の内周面の平面視二点の圧接点によって支持されているに過ぎなかったから、前記二点の二点間方向（図２に図示するところの左右方向）に対する安定性は十分だったが、前記二点の圧接点間方向と平面視直交する方向（図２に図示するところの上下方向）に対する安定性に乏しく、この方向に衝撃などが付与されると円筒脚９がガタついたりしたが、この点、本実施例においては、少なくとも平面視三点の圧接点によって圧接支持されることとなるから、平面視上下左右方向全ての方向に対して確実に位置決め固定されているから、従来にない秀れた安定性が得られ、前記締付ボルト６で締め付けて圧接支持した円筒脚９にガタツキが生じることはない。
【００５６】
しかも、従来機では、円筒体形状の支承部５に嵌挿して締付固定する前記円筒脚９の径が、支承部５に対して小さいほど、前記ガタツキが激しくなり、安定性が著しく損なわれ作業性が損なわれる為、従来機は、前記円筒体形状の支承部５と径と同じ位の径を有する円筒脚９にしか良好に取り付けて使用することができなかったが、この点、本実施例においては、前記対向傾斜支承面７は、図２に図示するように、前記締付ボルト６の締め付け方向と反対方向にハ字状に拡幅しているから、円筒脚９の径が大小様々であっても、この対向傾斜支承面７に挾持状態にして確実に位置決めして高い安定性で該円筒脚９を締付固定できることとなる。
【００５７】
更に、締付ボルト６の螺入方向に対して平面視対称で、且つ、対向する二つの傾斜支承面７が圧接支持する前記円筒脚９の軸芯方向に対して夫々平行となるように形成することで、この対向傾斜支承面７に円筒脚９を締付ボルト６で締め付ける際、この円筒脚９の径が大小様々であっても、前記締付ボルト６を確実に円筒脚９の軸芯に向かう方向に螺入させられるから、この締付ボルト６の締付力が効率良く発揮されることとなる。
【００５８】
更に、従来機は、円筒体形状の支承部５の形成長さを長くすることで安定性の向上やガタツキの軽減を図っていたから、それだけ軽量性が損なわれていたが、この点、本実施例では、前記対向傾斜支承面７と締付ボルト６とによって高い安定性が得られるから、前記支承部５の形成長さを長く設定しなくても良く、それだけ軽量化が図れることとなる。
【００５９】
更に、前記支承部５を筒体形状とすることで、この支承部５の周面に螺合部８をネジ切りするだけで、簡単に前記締付ボルト６が螺合する螺合部８を適性位置に形成することができ、容易に前記締付固定機構ａを形成することができ、しかも、この支承部５の前記螺合部８近傍を肉厚に形成することで、この螺合部８の強度を増し、前記締付ボルト６で円筒脚９を強く締め付けてもこの螺合部８のネジ山が破損したりすることを防止でき、これにより、この支承部５をステンレス製などの強度の高い部材で形成する必要がなく、例えば、アルミニウム製などの軽量な部材で構成しても前記螺合部８に十分な強度が得られるから、この支承部５を軽い部材で構成することにより軽量化が図れることとなる。
【００６０】
よって、本実施例においては、作業台や脚立などの円筒脚９を支承部５に挿入して、この支承部５に締付ボルト６で締付固定する際に、この円筒脚９の径が大小様々であっても、この円筒脚９を前記支承部５に確実に位置決め固定した状態に締付固定することができるから、安定性に秀れガタツキが生じることもなく、様々な径の円筒脚９に良好に取り付けて使用することができ、しかも、この支承部５を軽量部材（アルミニウム製の部材）で構成し且つ可及的に短く形成してそれだけ軽量化を図れるから、持ち運びなどの作業性に秀れ、更に、支承部５が筒体形状なので、この支承部５の周壁に締付ボルト６が螺合する螺合部８を形成することで容易に該支承部５に締付固定機構ａを設けることができるから、製造が容易で生産性に秀れるなど、実用性に秀れた画期的な作業台や脚立などの円筒脚に取り付ける補助脚となる。
【００６１】
しかも、本実施例においては、前記支承部５は、螺合部８に螺合した締付ボルト６の対向側面の外側形成表面を取付部３に付設した構成だから、この締付ボルト６と、前記取付部３及び補助脚体１とが、前記支承部５を介して互いに反対側の位置となり、締付ボルト６を操作する際に、取付部３及び補助脚体１が邪魔にならず、作業性に秀れ、この点においても実用性に秀れる。
【００６２】
また、本実施例においては、前記支承部５の周面の、前記対向傾斜支承面７を形成した箇所を二重構造に形成し、この二重構造の内壁部17によって取付部３と離間する方向に傾斜する前記対向傾斜支承面７を成し、二重構造の外壁部18は前記取付部３と連設する連設箇所となるように形成したから、支承部５の前記取付部３と接合する側の内側形成表面に比して外側形成表面を平面視拡幅となるように形成でき、よって、支承部５と取付部３との連設箇所の平面視連設幅が拡幅となり、この連設箇所を溶接により接合することで、支承部５と取付部３との接合強度が増すこととなり、この点においても実用性に秀れる。
【００６３】
尚、本実施例においては、図２に図示するように、前記対向する二つの傾斜支承面７は、基端側が圧接支承面４を介して所定間隔が設けられた平面視ハ字状に形成した構成であるが、例えば、この対向する二つの傾斜支承面７の基端側を、所定間隔を設けずに連設して平面視Ｖ字状に形成した構成としても良い。この場合は、一層小さな径を有する円筒脚９を平面視Ｖ字状に形成した対向傾斜支承面７で圧接支持して、締付固定することで確実に位置決め固定できることとなる。
【００６４】
尚、本発明は、本実施例に限られるものではなく、各構成要件の具体的構成は適宜設計し得るものである。
【図面の簡単な説明】
【００６５】
【図１】本実施例を示す概略斜視図である。
【図２】本実施例に係る要部の説明平面図である。
【図３】本実施例の使用態様を示す概略斜視図である。
【符号の説明】
【００６６】
１  補助脚体
２  係止機構
３  取付部
４  圧接支承面
５  支承部
６  締付ボルト
７  傾斜支承面，対向傾斜支承面
８  螺合部
９  円筒脚
ａ  締付固定機構
【図１】
2006022545.tif 000003
【図２】
2006022545.tif 000004
【図３】
2006022545.tif 000005